(57)【要約】      （修正有）【課題】居住地域が互いに異なる建物における消費エネルギを相対評価することができる消費エネルギ報知装置を提供する。【解決手段】エコメータＥＣＵ１６は、建物における実際の気象情報と予め設定される基準の気象情報との差違に基づいて、各種センサ１１〜１４によって検出された消費エネルギを、基準の気象情報における消費エネルギに換算した第１の換算情報をも管理サーバ３０から取得する。換算することによって、基準に対して相対評価することができる。また、このような第１の換算情報が含まれる報知情報を表示装置１８によって、表示する。【選択図】図１
2012133556.tif 000002
【特許請求の範囲】
【請求項１】
建物に設けられ予め設定される機器の消費エネルギを検出するセンサ（１１〜１４）と、
気象に関する気象情報を取得する気象情報取得手段（３１）と、
前記センサが検出した前記消費エネルギに関する第１の消費情報および前記気象情報を用いて生成された報知情報であって、使用者に報知する報知情報を取得する報知情報取得手段（１６）と、
前記報知情報を報知する報知手段（１８）と、を含み、
前記報知情報取得手段は、前記センサによって検出された消費エネルギを、前記建物における実際の気象情報と予め設定される基準の気象情報との差違に基づいて、前記基準の気象情報における消費エネルギに換算した第１の換算情報も取得し、
前記報知情報は、前記気象情報と、前記第１の消費情報と、前記第１の換算情報と、を用いて生成されていることを特徴とする消費エネルギ報知装置。
【請求項２】
通信網（２０）を介して他の装置へ前記第１の消費情報を送信するとともに、前記通信網を介して前記他の装置から他の建物の消費エネルギに関する第２の消費情報を受信する通信手段（１６）をさらに含み、
前記報知情報取得手段が取得する報知情報は、
前記第１の消費情報と、
前記第２の消費情報と、
前記気象情報と、
前記第１の換算情報と、
前記第２の消費情報における前記消費エネルギを、前記他の建物における前記実際の気象情報と前記基準の気象情報との差違に基づいて、前記基準の気象情報における消費エネルギに換算した第２の換算情報と、を用いて生成されていることを特徴とする請求項１に記載の消費エネルギ報知装置。
【請求項３】
前記報知手段は、画像を表示する表示部（１８ｄ）を有し、
前記表示部に表示される画像を制御する表示制御手段（１６）をさらに含み、
前記表示制御手段は、地図を示す地図画像上に、前記建物および前記他の建物を示す建物画像を重畳した画像を表示するように前記表示部を制御するとともに、前記報知情報を示す報知画像を表示するように前記表示部を制御することを特徴とする請求項１または２に記載の消費エネルギ報知装置。
【請求項４】
前記報知情報取得手段が取得する前記報知情報は、過去の時刻と関連付けられた時系列データの報知情報を含むことを特徴とする請求項１〜３のいずれか１つに記載の消費エネルギ報知装置。
【発明の詳細な説明】
【技術分野】
【０００１】
本発明は、建物における消費エネルギを報知する消費エネルギ報知装置に関する。
【背景技術】
【０００２】
二酸化炭素（ＣＯ２）の排出量低減などが叫ばれる中、家庭、学校およびオフィスでの使用エネルギ低減の各種取り組みが図られつつあり、様々な機器や仕組みが開示されている（たとえば特許文献１参照）。特許文献１に記載の機器情報管理装置は、エネルギ使用者の節約意識を高めるために、機器の動作状況などに基づいて、生活アドバイスを提供するものである。
【先行技術文献】
【特許文献】
【０００３】
【特許文献１】特開２００６−２６０５６１号公報
【発明の概要】
【発明が解決しようとする課題】
【０００４】
前述の特許文献１に記載の技術では、他の家庭（他者）との比較ができないので、節約活動に対して、他者と相対的な評価をすることができないという問題がある。
【０００５】
そこで相対的に評価するために、他者のエネルギ使用状況を取得して比較することが考えられる。そして、他者の情報と比較することによって、各個人の目標を立案するシステムを考えることできる。しかしながら、他者の所在地と使用者との距離が大きくなると、気温などの気象条件が異なる場合があり、他者のエネルギ使用量と比較することが困難になる。たとえば一年を通じて全国一律の目標を設定すると、地域差による気象の違い、および季節の移り変わりによる温度差などの様々な条件によって、自分と他者とで目標に対する難易度が異なることが起こりえる。このように難易度が変わると、節約行為に対する評価が異なることになるので、不公平感があり、使用者の節約意欲が低下するという問題がある。
【０００６】
そこで、本発明は前述の問題点を鑑みてなされたものであり、居住地域が互いに異なる建物における消費エネルギを相対評価することができる消費エネルギ報知装置を提供することを目的とする。
【課題を解決するための手段】
【０００７】
本発明は前述の目的を達成するために以下の技術的手段を採用する。
【０００８】
請求項１に記載の発明では、建物に設けられ予め設定される機器の消費エネルギを検出するセンサ（１１〜１４）と、
気象に関する気象情報を取得する気象情報取得手段（３１）と、
センサが検出した消費エネルギに関する第１の消費情報および気象情報を用いて生成された報知情報であって、使用者に報知する報知情報を取得する報知情報取得手段（１６）と、
報知情報を報知する報知手段（１８）と、を含み、
報知情報取得手段は、センサによって検出された消費エネルギを、建物における実際の気象情報と予め設定される基準の気象情報との差違に基づいて、基準の気象情報における消費エネルギに換算した第１の換算情報も取得し、
報知情報は、気象情報と、第１の消費情報と、第１の換算情報と、を用いて生成されていることを特徴とする消費エネルギ報知装置である。
【０００９】
請求項１に記載の発明に従えば、報知情報取得手段は、建物における実際の気象情報と予め設定される基準の気象情報との差違に基づいて、センサによって検出された消費エネルギを、基準の気象情報における消費エネルギに換算した第１の換算情報をも取得する。換算することによって、基準に対して相対評価することができる。また、このような第１の換算情報が含まれる報知情報を報知手段によって、報知することによって、使用者は自分の消費エネルギの多寡を基準と比較して判断することができる。したがって使用者の消費エネルギを節約する活動意欲を喚起することができる。
【００１０】
また請求項２に記載の発明では、通信網（２０）を介して他の装置へ第１の消費情報を送信するとともに、通信網を介して他の装置から他の建物の消費エネルギに関する第２の消費情報を受信する通信手段（１６）をさらに含み、
報知情報取得手段が取得する報知情報は、
第１の消費情報と、
第２の消費情報と、
気象情報と、
第１の換算情報と、
第２の消費情報における消費エネルギを、他の建物における実際の気象情報と基準の気象情報との差違に基づいて、基準の気象情報における消費エネルギに換算した第２の換算情報と、を用いて生成されていることを特徴とする。
【００１１】
請求項２に記載の発明に従えば、報知情報取得手段は、他の建物における実際の気象情報と基準の気象情報との差違に基づいて、第２の消費情報における消費エネルギを、基準の気象情報における消費エネルギに換算した第２の換算情報をも取得する。換算することによって、全国のどの地域とどの地域とを比較しても、正当に相対評価することができる。また第１の換算情報および第２の換算情報を用いて報知情報が生成されるので、使用者は他者と比較した報知情報を得ることができる。これによって使用者は自分の消費エネルギの多寡を他者と比較して判断することができる。したがって使用者の消費エネルギを節約する活動意欲をさらに喚起することができる。
【００１２】
さらに請求項３に記載の発明では、報知手段は、画像を表示する表示部（１８ｄ）を有し、
表示部に表示される画像を制御する表示制御手段（１６）をさらに含み、
表示制御手段は、地図を示す地図画像上に、建物および他の建物を示す建物画像を重畳した画像を表示するように表示部を制御するとともに、報知情報を示す報知画像を表示するように表示部を制御することを特徴とする。
【００１３】
請求項３に記載の発明に従えば、表示部には、地図を示す地図画像上に、建物および他の建物を示す建物画像を重畳した画像が表示される。これによって、比較対象となる建物が近くにあるか遠くにあるかを直感的に把握することができる。
【００１４】
さらに請求項４に記載の発明では、報知情報取得手段が取得する報知情報は、過去の時刻と関連付けられた時系列データの報知情報を含むことを特徴とする。
【００１５】
請求項４に記載の発明に従えば、報知情報取得部は、過去の時系列データの報知情報を含む報知情報を取得する。報知情報の情報源に過去の報知情報が含まれるので、過去の報知情報と現在報知しようとしている報知情報とを同時に表示することができる。これによって過去の消費エネルギと現在の消費エネルギとを比較することができる。したがって使用者は、節約行為の達成度などを得ることができ、さらに節約する活動意欲を喚起することができる。
【００１６】
なお、前述の各手段の括弧内の符号は、後述する実施形態に記載の具体的手段との対応関係を示す一例である。
【図面の簡単な説明】
【００１７】
【図１】エコシステム１００の電気的構成を簡略化して示すブロック図である。
【図２】データ受付処理サーバ３１の処理を示すフローチャートである。
【図３】エネルギ使用量（Ｗ）と気温（℃）との関係の一例を示すグラフである。
【図４】自己の情報を表示する画像の一例である。
【図５】自己の情報と他者の情報とを表示する画像の一例である。
【図６】各時間毎に過去のデータを表示する画像の第１の例である。
【図７】各時間毎に過去のデータを表示する画像の第２の例である。
【図８】各時間毎に過去のデータを表示する画像の第３の例である。
【発明を実施するための形態】
【００１８】
（第１実施形態）
本発明の第１実施形態に関して、図１〜図８を用いて説明する。図１は、本実施形態のエコメータ１０を含むエコシステム１００の電気的構成を簡略化して示すブロック図である。エコシステム１００は、各家庭の消費エネルギを表示するエコメータ１０、および各エコメータ１０を管理する管理サーバ３０を含んで構成される。エコメータ１０と管理サーバ３０とは、インターネット網２０を介して通信可能に接続される。
【００１９】
先ず、エコメータ１０に関して説明する。エコメータ１０は、建物、たとえば一般家庭およびオフィスなどに設けられる。エコメータ１０は、予め設定される機器（図示せず）の消費エネルギに関する消費情報を報知する。予め設定される機器は、設置される建物においてエネルギを消費する機器である。予め設定される機器は、電力を消費する電気機器、ガスを消費するガス機器、および水道を使用する水道機器を含む。電気機器は、たとえば冷蔵庫、洗濯機、エアコンおよびテレビなどである。またガス機器は、たとえばガスコンロ、湯沸かし器、床下暖房およびファンヒータなどである。また水道機器は、水洗トイレ、および台所などの蛇口などである。また設定される機器は、建物にある全ての機器でなくともよく、適宜設定可能である。消費エネルギが大きい機器を設定することが好ましい。
【００２０】
エコメータ１０が報知する消費情報は、機器の消費エネルギに関する情報である。消費エネルギに関する情報は、たとえば機器の消費エネルギの具体的な数値（たとえばワット数）、これらの数値を二酸化炭素排出量に換算した数値、各機器の情報（一般名称および型番など）である。二酸化炭素排出量は、たとえば消費エネルギを生成するために発電所などで排出された二酸化炭素量のことである。したがって、たとえば機器は、自然エネルギーを用いて動作する機器（大陽電池を用いた電灯など）は設定されない。
【００２１】
次に、エコメータ１０の構成に関して説明する。エコメータ１０は、消費エネルギを検出する各種センサ１１〜１４、各種設定をするためのオプションモニタ１５、および各部を制御するエコメータ電子制御装置（Electronic Control Unit：略称ＥＣＵ）１６、各部を通信可能に接続するゲートウェイ１７、各種情報を表示する表示装置１８を含んで構成される。
【００２２】
各種センサ１１〜１４は、前述の機器の消費エネルギを検知し、検知した情報をエコメータＥＣＵ１６に与える。各種センサ１１〜１４は、エコメータＥＣＵ１６とたとえば無線によって通信可能に接続される。本実施形態では、消費エネルギとして電力、ガスおよび水道がある。各種センサ１１〜１４は、機器電力検知センサ１１、総電力検知センサ１２、流量検知センサ１３、およびガス検知センサ１４によって実現される。機器電力検知センサ１１は、予め設定される電力機器に個別に設けられ、設けられた電力機器の消費電力を検知し、検知した消費電力に基づく情報をエコメータＥＣＵ１６に与える。総電力検知センサ１２は、建物の電力供給源に設けられ、建物の消費電力を検知し、検知した消費電力に基づく情報をエコメータＥＣＵ１６に与える。流量検知センサ１３は、水道機器または水道メータに設けられ、水道流量を検知し、検知した流量に基づく情報をエコメータＥＣＵ１６に与える。ガス検知センサ１４は、予め設定されるガス機器に個別に設けられ、設けられたガス機器の消費ガスを検知し、検知した消費ガスに基づく情報をエコメータＥＣＵ１６に与える。
【００２３】
オプションモニタ１５は、画像を表示するモニタ部（図示せず）および各種設定をする設定部（図示せず）を備える。オプションモニタ１５は、エコメータＥＣＵ１６を設定管理するための装置である。したがって一般の使用者が使用することが前提でなく、設置者および管理者などが操作するための装置である。オプションモニタ１５は、エコメータＥＣＵ１６に電気的に接続され、エコメータＥＣＵ１６に与えられる情報をモニタ部に表示し、各種センサ１１〜１４が正常に動作しているか等を管理するために用いられる。たとえばメンテナンス時に、設定部を管理者が操作することによって、各種センサ１１〜１４の状態およびセンサの追加および変更を設定することができる。
【００２４】
ゲートウェイ１７は、各表示装置１８、エコメータＥＣＵ１６およびインターネット網２０と電気的に接続される。ゲートウェイ１７は、ネットワーク間を相互接続する通信機器であり、ゲートウェイ１７を介して、エコメータＥＣＵ１６および表示装置１８は、インターネット網２０から情報を取得することができる。
【００２５】
表示装置１８は、図１に示すように、たとえばパーソナル・コンピュータ（Personal Computer：略称ＰＣ）１８ａ、携帯端末１８ｂおよびインターネットテレビ（ＴＶ）１８ｃなどによって実現される。表示装置１８は、画像を表示する表示部１８ｄを有し、ゲートウェイ１７を介してエコメータＥＣＵ１６およびインターネット網２０から与えられる情報を表示する。
【００２６】
エコメータＥＣＵ１６は、図示は省略するが、マイクロコンピュータと、各種センサ１１〜１４およびオプションモニタ１５から各種情報（入力信号）が入力される入力回路と、オプションモニタ１５およびゲートウェイ１７に情報（出力信号）を送る出力回路と、を備えている。マイクロコンピュータは、ロム（Read-Only Memory：略称ＲＯＭ）、ラム（Random Access Memory：略称ＲＡＭ）等のメモリおよび中央演算処理装置（Central Processing Unit：略称ＣＰＵ）を含んで構成されており、予めＲＯＭに記憶された各種の制御プログラムを実行する。エコメータＥＣＵ１６から出力された情報（信号）は、ゲートウェイ１７を介して表示装置１８に与えられ、またゲートウェイ１７およびインターネット網２０を介して管理サーバ３０に与えられる。したがってエコメータＥＣＵ１６は、インターネット網２０を介して他の装置と通信する通信手段としての機能も有する。
【００２７】
エコメータＥＣＵ１６は、各種センサ１１〜１４からの情報を時刻に関連つけて、管理サーバ３０に送信するように処理する。これによって管理サーバ３０には、エコメータＥＣＵ１６から消費電力などの消費情報が与えられる。
【００２８】
またエコメータＥＣＵ１６は、表示制御手段としての機能を有し、表示装置１８の表示部１８ｄに表示される画像を制御する。表示部１８ｄに表示される画像は、たとえばインターネット網２０を介して取得した情報である。
【００２９】
次に、管理サーバ３０に関して説明する。管理サーバ３０は、各建物に設置されるエコメータＥＣＵ１６を管理する。管理サーバ３０は、データ受付処理サーバ３１、データベース（ＤＢ）３２、ウェブ（ＷＥＢ）サーバ３３、およびメール（Ｍａｉｌ）サーバ３４を含んで構成される。
【００３０】
Ｗｅｂサーバ３３は、インターネット網２０を通じてエコメータＥＣＵ１６から受けた要求に応じて、データベース３２に記憶されている情報を提供するように処理する。メールサーバ３４は、インターネット網２０を通じて電子メールの送受信を管理するサーバである。
【００３１】
データ受付処理サーバ３１は、インターネット網２０を通じて、エコメータＥＣＵ１６からの情報を受け付け、データベース３２に記録するように処理する。またデータ受付処理サーバ３１は、気象情報取得手段としての機能を有し、インターネット網２０を通じて、全国の気象情報を各地域と関連付けて取得し、データベース３２に記憶するように処理する。
【００３２】
データベース３２は、エコメータＥＣＵ１６および３つのサーバでやり取りするための各種情報が記憶されている。たとえばデータベース３２には、前述のように気象情報、およびエコメータＥＣＵ１６からの情報が記憶される。エコメータＥＣＵ１６からの情報の一例を、表１および表２に示す。
【表１】
2012133556.tif 000003
【００３３】
表１は、エコメータＥＣＵ１６が設置される建物の分類と、その詳細内容の一例を示す。表１に示すような分類と詳細内容とが、エコメータＥＣＵ１６に個別に関連付けられ、データベース３２に記憶されている。たとえばエコメータＥＣＵ１６が一般家屋に設置されている場合には、分類が「家」および詳細内容が「一般家屋」となる。
【表２】
2012133556.tif 000004
【００３４】
表２は、エコメータＥＣＵ１６が設置される建物においてエネルギ消費に関連する情報の一例を示す。表２に示すような入力内容、データ例、および備考が、エコメータＥＣＵ１６に個別に関連付けられ、データベース３２に記憶されている。たとえば家族構成および年齢などが異なれば、エネルギを消費量が異なるからである。また住居の広さなどが異なれば、設備が異なるので、住居に関連する情報も必要となる。さらには、エネルギを消費する機器の情報も必要である。
【００３５】
次に、気象情報の一例を表３〜表５に示す。
【表３】
2012133556.tif 000005
【表４】
2012133556.tif 000006
【表５】
2012133556.tif 000007
【００３６】
データ受付処理サーバ３１は、表３から表５に示す気象情報をインターネット網２０から取得し、データベース３２に時系列データとして記憶させる。
【００３７】
表３は、季節記号と季節との関連を示す表である。表３に示すように、たとえば現在が冬であれば、季節記号「４」を時間と関連つけて記憶させる。
【００３８】
表４は、地域記号と地域ブロックとの関連を示す表である。表４に示すように、地域ブロックに応じて気温が異なるので、地域記号に、気温および全国平均気温との差とを関連つけて記憶させる。
【００３９】
表５は、天候記号と天候との関連を示す表である。表４に示すように、たとえば各地域における天候に応じた天候記号を、地域ブロックと関連つけて記憶させる。たとえば「北海道」が「晴れ」である場合には、地域記号「１」に天候記号「１」を関連つける。
【００４０】
また表１〜表５に示す項目は、一例であり、その他の情報をデータベース３２に記憶させてもよいし、各表の全部の項目でなく一部の項目であってもよい。たとえば地域ブロックは、都道府県毎であってもよく、市町村毎であってもよい。また関連つける時刻も、１時間毎であってもよく、半日毎（１２時間毎）であってもよい。また気象情報は、たとえば湿度、降水量および降雪量を含んでもよい。
【００４１】
次に、データ受付処理サーバ３１の処理に関して、図２を用いて説明する。図２は、データ受付処理サーバ３１の処理を示すフローチャートである。図２に示すフローは、データ受付処理サーバ３１が電源投入状態において、短時間に繰返し実行される処理である。ステップＳ１では、エコメータＥＣＵ１６から消費情報を取得しかた否かが判断され、取得した場合には、ステップＳ２に移り、取得していない場合には、本フローを終了する。
【００４２】
ステップＳ２では、消費情報を取得したので、消費情報に基づいて、関連付けられている気象情報をデータベース３２から取得し、ステップＳ３に移る。関連つけられている気象情報は、前述の表３〜表５で示したように、消費情報を送信したエコメータＥＣＵ１６がある地域の気象情報である。また消費情報は、設置されている全てのエコメータＥＣＵ１６から送信される。
【００４３】
ステップＳ３では、実際の気象情報と予め設定される基準の気象情報との差違に基づいて、消費情報に含まれる消費エネルギを、基準の気象情報における消費エネルギに換算する換算処理を実行し、ステップＳ４に移る。換算処理は、地域差に関係なく他者と比較できるように、換算する処理である。換算処理の具体的な内容については、後述する。
【００４４】
ステップＳ４では、換算処理によって得られた換算情報（換算データ）をエコメータＥＣＵ１６に送信するように処理するとともに、データベース３２に記憶するように処理し、本フローチャートを終了する。
【００４５】
このように図２に示すフローチャートによって、消費情報に基づく換算情報を得ることができる。また換算情報は、データベース３２に記憶されるので、エコメータＥＣＵ１６からの要求に基づいて、エコメータＥＣＵ１６はデータベース３２に記憶される自己の換算情報（第１の換算情報）を取得することができる。またエコメータＥＣＵ１６は、データベース３２に記憶される他者の換算情報（第２の換算情報）も取得することができる。
【００４６】
次に、換算処理に関して、図３を用いて説明する。図３は、エネルギ使用量（Ｗ）と気温（℃）との関係の一例を示すグラフである。図３では、天候が雨、曇りおよび晴れのそれぞれについて情報が示されている。図３に示すように、天候と気温によってエネルギ使用量が異なる。また同じ天候においては、気温とエネルギ使用量とには相関関係があり、過去の情報に基づいて、各季節および各天候ごとに相関関数を予め生成している。このような相関関数は、データベース３２に記憶されている。本実施形態では、演算を簡略化するために相関関数は、図３に示すように、一次関数で近似している。
【００４７】
先ず、基準となるデータを設定する。本実施形態では、天候を「晴れ」、かつ全国平均気温（Ｔａｖｅ）時のエネルギ使用量を基準平均量（Ｅａｖｅ）に設定する。
【００４８】
次に、気温を補正する気温補正計算を行う。ある気温（Ｔ１）でのエネルギ基準使用量（Ｅ１）は、前述の相関関数（本実施形態では一次関数）により、次式によって算出される。
【００４９】
Ｅ１＝（ｄＥ／ｄＴ）×Ｔ１                                      …（１）
エネルギ補正量（ΔＥ１）は、気温（Ｔ１）と全国平均気温（Ｔａｖｅ）との差によって、次式によって算出される。
【００５０】
ΔＥ１＝Ｅ１−Ｅａｖｅ
＝（ｄＥ／ｄＴ）×（Ｔ１−Ｔａｖｅ）                      …（２）
したがって、気温補正後エネルギ量（Ｅ１’）は、次式によって算出される。
【００５１】
Ｅ１’＝Ｅ１±ΔＥ１                                            …（３）
（Ｅ１＜Ｅａｖｅ：＋符号適用、Ｅ１＞Ｅａｖｅ：−符号適用）
気温による補正が終了したので、次に、天候による補正を実施する。図３に示すように、天候によって変化率が異なるからである。基準変化率αを、気温補正後エネルギ量に乗ずることで、天候補正後の天候補正後エネルギ量（Ｅ１’’）を算出する。基準変化率は、次式によって算出される。
【００５２】
α＝｛（ｄＥ／ｄＴ）ａｖｅ｝／（ｄＥ／ｄＴ）                    …（４）
式（３）および式（４）より、
Ｅ１’’＝（Ｅ１±ΔＥ１）×α
＝（Ｅ１±ΔＥ１）×（ｄＥ／ｄＴ）ａｖｅ／（ｄＥ／ｄＴ）  …（５）
このように最終的に気温および天候に対する補正した後のエネルギ量使用量（Ｅ１’’）が算出される。そして前述したように、エネルギ量使用量（Ｅ１’’）がデータベース３２に各エコメータＥＣＵ１６毎に、時間などの情報を関連付けて記憶される。
【００５３】
このような換算処理における相関関数は、各季節と天候条件ごとに作成されることが望ましい。季節により使用機器が変わるからである。これによって換算の精度を向上することができる。
【００５４】
次に、エコメータＥＣＵ１６を構成する表示装置１８の表示部１８ｄに表示される画像に関して、図４〜図８を用いて説明する。図４は、表示部１８ｄが表示する画像の一例であって、自己の情報を表示する例である。図５は、画像の一例であって、他者の情報をも表示する例である。
【００５５】
表示装置１８が報知する報知情報には、自己の消費情報（第１の消費情報）、他者の消費情報（第２の消費情報）、および換算情報などが含まれる。自己の消費情報は、自己の消費エネルギに関する情報であり、各種センサ１１〜１４が取得した情報、自己の表１および表２に示す情報、自己の地域の気象情報、ならびに自己データが補正（換算）された換算情報（第１の換算情報）も含まれる。他者の消費情報は、他者の消費エネルギに関する情報であり、他者が消費した消費エネルギ量、他者の表１および表２に示す情報、他者の地域の気象情報、ならびに他者データが補正（換算）された換算情報（第２の換算情報）も含まれる。
【００５６】
これらの情報は、文字や図形などの画像によって表示部１８ｄにて表示される。図４に示す例では、自己の住む地域（県）を含む地図画像と、その気象情報（天候、気温、湿度）および当日に自己が消費したエネルギ量（電気使用量、二酸化炭素排出量）とが表示されている。表示する地域は、適宜選択可能であり、たとえば、国、市、町および村と拡大および縮小可能である。また消費したエネルギ量も、全体の合計として表示することもでき、各機器毎を選択することによって、機器の消費エネルギを表示することもできる。このようなエコメータＥＣＵ１６の操作は、図示は省略するが、リモコンおよびタッチパネルなどの操作部によって操作することができる。
【００５７】
図５に示す例では、自己の住む地域の村を拡大した地図画像上に、自己の建物および他者の建物を示す建物画像が重畳した画像が表示されている。図５に示す画像では、○で囲っている家が、自己の建物画像であり、矢印で選択されている家が他者の建物画像である。建物を選択すると、選択した建物の消費エネルギ量が表示される。また、選択することによって、表１および表２で示した情報を表示することも可能である。このような他者の情報は、インターネット網２０を経由して、データベース３２に記憶されている情報を取得することよって得ることができる。ここで、たとえば表示させたい内容（公開または非公開）は、エコメータ１０の各使用者が各情報毎に個別に設定することができる。また表１および表２に記載の情報を対象に、キーワードで他の建物を検索し、検索した建物の消費エネルギ量を表示するようにしてもよい。これによって地図画像上に表示された複数の建物の中から、自分の家庭と同様な家庭を探して（絞り込み）、消費エネルギ量などの閲覧および比較できる。
【００５８】
ここで地図画像上の建物などの位置は、正確な位置である必要はなく、たとえば同じ天候であるような地域内の位置にランダムに建物を表示してもよい。したがって、いわゆる仮想マップ上に、各建物がイメージしやすい建物画像を表示するようにしもよい。これによって表示される建物の匿名性を確保することができ、表２および表３に示すような個人情報を保護することができる。
【００５９】
図６〜図８に示す例では、各時間毎の消費エネルギ量を示す棒グラフの画像が表示されている。したがって図６〜図８では、過去の時系列データが表示されている。図６〜図８では、現在時刻のデータを斜線を施して示す。図６〜図８に示すように、たとえば朝５時からの過去の消費エネルギ量が蓄積されて、表示されている。また図６では、現在までの全国平均補正値の線が重畳されて表示されている。全国平均補正値の線とは、前述の換算処理によって全国にある各建物の補正後の値（Ｅ’’）の平均値のことである。したがって気温差および天候差が補正されていることになる。このような全国平均補正値の線が表示されているので、エコメータ１０の使用者は、自己のエネルギ使用量の多寡を判断することができる。
【００６０】
図７に示す例では、図６に示す画像にさらに、地域平均補正値の線が表示されている。地域平均補正値の線とは、前述の換算処理によって同じ地域にある各建物の補正後の値（Ｅ’’）の平均値のことである。同じ地域は、たとえば同じ市である。補正しても、全国平均補正値と地域平均補正値とに差がある場合もある。これは、地域間で使用される機器の差などに起因する。したがって前述の換算処理で、各地域ごとに相関関数を求めて地域ごとの基準補正を実施し地域平均からの差を表示する。これによってエコメータ１０の使用者は、自己のエネルギ使用量の多寡をさらに詳細に判断することができる。システムを管理する側からみると、消費エネルギに関する地域的な問題を把握することができる。
【００６１】
図８に示す例では、図６に示す画像にさらに、各時間毎に過去のデータの棒グラフを破線で重畳して表示している。過去データは、たとえば１日前、１ヶ月前、３ヶ月前および１年前などのエネルギ使用量、１週間平均、１月平均、３ヶ月平均および年平均などの平均値、ならびにこれらの全国平均補正値、および地域平均補正値などを適宜選択して表示することができる。これらの情報は、エコメータＥＣＵ１６のメモリまたは管理サーバ３０のデータベース３２に記憶されている。これによってエコメータ１０の使用者は、過去のデータと比較することによって、現在のエネルギ使用量の多寡を確認することができる。
【００６２】
図６〜図８に示す画像は一例であり、表示は時間ごとであるが、この他に、１日トータルの増減量を表示してもよい。これによって、ある時間ではエネルギ使用量が平均補正値をオーバーしたが、１日の合計では平均補正値以下となる場合もあるからである。
【００６３】
以上説明したように本実施形態の報知情報取得手段であるエコメータＥＣＵ１６は、建物における実際の気象情報と予め設定される基準の気象情報との差違に基づいて、各種センサ１１〜１４によって検出された消費エネルギを、基準の気象情報における消費エネルギに換算した第１の換算情報をも管理サーバ３０から取得する。換算することによって、基準に対して相対評価することができる。また、このような第１の換算情報が含まれる報知情報を報知手段である表示装置１８によって、表示することによって、使用者は自分の消費エネルギの多寡を、図６などに示すように、基準と比較して判断することができる。したがって使用者の消費エネルギを節約する活動意欲を喚起することができる。
【００６４】
また本実施形態では、エコメータＥＣＵ１６は、他の建物における実際の気象情報と基準の気象情報との差違に基づいて、他の建物の消費情報である第２の消費情報における消費エネルギを、基準の気象情報における消費エネルギに換算した第２の換算情報をも取得する。換算することによって、全国のどの地域とどの地域とを比較しても、正当に相対評価することができる。これによって使用者は自分の消費エネルギの多寡を他者と比較して判断することができる。したがって使用者の消費エネルギを節約する活動意欲をさらに喚起することができる。
【００６５】
さらに本実施形態では、表示部１８ｄである表示装置１８には、図５に示すように、地図を示す地図画像上に、建物および他の建物を示す建物画像を重畳した画像が表示される。これによって、比較対象となる建物が近くにあるか遠くにあるかを直感的に把握することができる。したがって使用者は、同一地域内ある建物の情報をより直感的に把握することができる。
【００６６】
また本実施形態では、エコメータＥＣＵ１６は、図８に示すように、過去の時系列データの報知情報を含む報知情報を取得し、表示装置１８によって表示する。報知情報の情報源に過去の報知情報が含まれるので、過去の報知情報と現在報知しようとしている報知情報とを同時に表示することができる。これによって過去の消費エネルギと現在の消費エネルギとを比較することができる。したがって使用者は、節約行為の達成度などを得ることができ、さらに節約する活動意欲を喚起することができる。
【００６７】
換言すると、本実施形態のエコシステム１００では、管理サーバ３０に蓄積されたデータを、インターネットを通じて各個人が見えるようにＷＥＢ上に表示させことができる。この時、ＷＥＢ上では、たとえば図５に示すように、各家庭および学校に対応する建物を地図上に表示させて各建物ごとのエネルギ使用状態および節約状況が表示される。これによって自分だけでなく、他者のエネルギ節約度合いおよび消費量などを見ることができる。したがって他者と比較することができ、各個別の節約目標を立てることができる。その結果、エネルギ節減につながる。ここでエネルギ使用量は、気候条件や地方の使用するエネルギ事情により異なるため、本実施形態では、他の地域との比較は、図３などで説明したように、これらの地域差の条件を考慮した換算値を用いて比較をし、条件差を小さくしている。
【００６８】
具体的には、各地域ごとの天候データ（天候、気温）に基づいて使用量データの目安（ガイド）を設定し、その目安に対しての比較を出来るようにデータを換算している。この換算値に基づく節約量をＷＥＢ上で表示させる。このことで単純な消費量の大小だけでなく、気象条件で換算した値で地域間の差をなくすことができ、年中を通して節約量の比較が可能になる。また、エネルギの日間変動の原因を明確にすることができる。
【００６９】
（その他の実施形態）
以上、本発明の好ましい実施形態について説明したが、本発明は上述した実施形態に何ら制限されることなく、本発明の主旨を逸脱しない範囲において種々変形して実施することが可能である。
【００７０】
前述の第１実施形態では、換算処理のときに、全国補正値を算出するが、全国補正値だけを求めるのではく、地域補正値を求めるようにしてもよい。
【００７１】
前述の第１実施形態では、換算処理は、管理サーバ３０によって実行されるが、エコメータＥＣＵ１６が行っても良い。エコメータＥＣＵ１６は、換算処理に必要な気象情報は、インターネット網２０経由でエコメータＥＣＵ１６が自ら得してもよく、インターネット網２０経由でデータベース３２から取得してもよい。またエコメータＥＣＵ１６が天候を直接検出する検出手段（たとえば気圧計、温度計および湿度計など）を備える構成であってもよい。
【００７２】
天候補正および気温補正だけでなく、世帯人数による補正などを行ってもよい。予め各世帯人数および年齢構成によって、消費エネルギに関するデータがあれば、このような換算処理も天候補正および気温補正と同様に実施することができる。また同様に家族構成毎の全国補正値を算出してもよい。これによって同様の家族構成同士を比較することができる。
【００７３】
またたとえば、エネルギ目標値（節約モード）を各自で設定できるようにしてもよい。たとえば目標値を示す線を、図６〜図８に重畳して表示するようにしてもよい。たとえば目標値は、全国平均補正値に対して節約したい割合を乗じて算出される。（例：２５％低減→Ｅａｖｅ×０．７５に設定する。）
前述の第１実施形態では、図６などの示すように表示する画像の一例が棒グラフであるが、棒グラフに限るものではなく、他のグラフ、たとえば線グラフ、点グラフ（点のみ）であってもよく、グラフ以外に指数およびグラフに類図する評価画像などを表示してもよい。指数は、たとえば基準量を「１」とし、上回る場合の割合量を「＋＊＊」および下回る場合を「−＊＊」（＊＊は割合に対応する数字）とし、積算として指数を表示するなどである。また評価画像は、たとえば☆の数で評価し、対応する☆の数を表示するなどである。また画像のみでなく、音などで情報を報知もしてもよい。また画像と音との両方を用いて各種の情報を報知してもよい。
【００７４】
また前述の第１実施形態では、インターネット網２０を介して情報を取得しているが、インターネット網２０に限るものではなく、公衆電話回線網および光回線網などインターネット網２０以外の通信網であってもよい。
【００７５】
また前述の第１実施形態では、通信網に接続されて情報を送受信する構成であるが、通信機能を有さずに、単に設置された建物の消費情報を取得し、消費情報を換算処理する機能を有するエコメータ（消費エネルギ報知装置）であってもよい。これによって装置を簡素化して、製造コストを低減することができる。
【符号の説明】
【００７６】
１０…エコメータ
１１…機器電力検知センサ（センサ）
１２…総電力検知センサ（センサ）
１３…流量検知センサ（センサ）
１４…ガス検知センサ（センサ）
１６…エコメータＥＣＵ（報知情報取得手段、通信手段、表示制御手段）
１７…ゲートウェイ
１８…表示装置（報知手段）
１８ｄ…表示部
２０…インターネット網
３０…管理サーバ
３１…データ受付処理サーバ（気象情報取得手段）
３２…データベース
１００…エコシステム
【図１】
2012133556.tif 000008
【図２】
2012133556.tif 000009
【図３】
2012133556.tif 000010
【図４】
2012133556.tif 000011
【図５】
2012133556.tif 000012
【図６】
2012133556.tif 000013
【図７】
2012133556.tif 000014
【図８】
2012133556.tif 000015